(57)【要約】【課題】均一かつ歪の小さいワークを得ることが可能なガス焼入れ装置を提供する【解決手段】ガス冷却室１内に設置され、ワークＷを一段で複数平面的に載置するとともに、平面の必要箇所に上下方向へ貫通する複数の開口２１が形成された水平姿勢の平板状トレイ２と、各開口２１を経て上昇させられて先端でワークＷをトレイ２上から持ち上げ支持する棒状の拘束部材５１と、上方からワークＷの上面に下降してその先端でワークＷを抑えて拘束部材５１とでワークＷの変形を防止するように挟持する棒状の拘束部材５２とを備える。【選択図】        図１
2015221916.tif 000002
【特許請求の範囲】
【請求項１】
ガス冷却室内に設置され、ワークを一段で複数平面的に載置するとともに、平面の必要箇所に上下方向へ貫通する複数の開口が形成された水平姿勢の平板状トレイと、前記各開口を経て上昇させられて先端で前記ワークを前記トレイ上から持ち上げ支持する棒状の第１拘束部材と、上方から前記ワークの上面に下降してその先端で前記ワークを抑えて前記第１拘束部材とで前記ワークの変形を防止するように挟持する棒状の第２拘束部材とを備えるガス焼入れ装置。
【請求項２】
前記第２拘束部材はバネ部材によって下降方向へ進出付勢されており、前記ワークの上面の凹凸に従って前記バネ部材を圧縮変形させて後退可能となっている請求項１に記載のガス焼入れ装置。
【請求項３】
前記トレイは平面視で格子状に成形されて多数の開口が隣接して形成されている請求項１に記載のガス焼入れ装置。
【発明の詳細な説明】
【技術分野】
【０００１】
本発明はガス焼入れ装置に関し、特に均一かつ歪の小さい焼入れを行うことが可能なガス焼入れ装置に関する。
【背景技術】
【０００２】
自動車用歯車等のワークを表面熱処理する場合、従来はガス浸炭後に油焼入れを行うのが普通であった。そして、特に歪が出易いリング形状の歯車等の場合には、歪を抑制するために拘束油焼入れが行われている。これは例えば特許文献１に示されているように、ワークの外周ないし内周の変形を防止するような側壁を備える焼入れ油注入空間をワーク周囲に形成して焼入れを行うものである。
【先行技術文献】
【特許文献】
【０００３】
【特許文献１】特開２０１３−２３７５１
【発明の概要】
【発明が解決しようとする課題】
【０００４】
しかし、油焼入れは、焼入れ後の洗浄工程を必要とするとともに、オイルミストが発生して作業環境が悪化し、爆発や火災等の危険性があるという問題がある上に、光輝性に劣るという問題もあった。そこで、このような問題点の無いガス焼入れによって十分に歪の小さいワークを得ることが要請されていた。
【０００５】
そこで、本発明はこのような要請に鑑みたもので、均一かつ歪の小さいワークを得ることが可能なガス焼入れ装置を提供することを目的とする。
【課題を解決するための手段】
【０００６】
上記目的を達成するために、本第１発明では、ガス冷却室（１）内に設置され、ワーク（Ｗ）を一段で複数平面的に載置するとともに、平面の必要箇所に上下方向へ貫通する複数の開口（２１）が形成された水平姿勢の平板状トレイ（２）と、前記各開口（２１）を経て上昇させられて先端で前記ワーク（Ｗ）を前記トレイ（２）上から持ち上げ支持する棒状の第１拘束部材（５１）と、上方から前記ワーク（Ｗ）の上面に下降してその先端で前記ワーク（Ｗ）を抑えて前記第１拘束部材（５１）とで前記ワーク（Ｗ）の変形を防止するように挟持する棒状の第２拘束部材（５２）とを備える。
【０００７】
第１発明においては、トレイの上方位置で拘束部材によって上下面を拘束されて保持されたワークに対し、冷却ガスは、棒状の拘束部材の間の空間を円滑に流れる。この結果、拘束され平面的に配置されたワークは、その歪変形が抑えられた状態で効率的かつ均一に冷却される。
【０００８】
本第２発明では、前記第２拘束部材（５２）はバネ部材（４３）によって下降方向へ進出付勢されており、前記ワーク（Ｗ）の上面の凹凸に従って前記バネ部材（４３）を圧縮変形させて後退可能となっている。
【０００９】
本第２発明においては、バネ部材によって進出付勢されている各拘束部材、先端がワークの上面に当接するとその凹凸に応じてバネ部材を圧縮しつつ適宜後退するから、ワークはその厚み方向の形状の如何に拘わらず両拘束部材によって上下面よりバネ部材のバネ力とその反力によって強固に挟持されて変形が防止され、拘束状態で保持される
【００１０】
本第３発明では、前記トレイ（２）は平面視で格子状に成形されて多数の開口（２１）が隣接して形成されている。
【００１１】
本第３発明においては、拘束部材の平面配置の自由度が向上するから、ワークはその平面外形の如何に拘わらず確実に上下の拘束部材によって拘束される。
【００１２】
上記カッコ内の符号は、後述する実施形態に記載の具体的手段との対応関係を示すものである。
【発明の効果】
【００１３】
以上のように、本発明のガス焼入れ装置によれば、均一かつ歪の小さいワークを得ることが可能である。
【図面の簡単な説明】
【００１４】
【図１】本発明の第１実施形態を示す、ガス焼入れ装置の全体概略断面図である。
【図２】ワーク拘束機構の垂直断面図である。
【図３】挟持されたワークの斜視図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
図１にはガス焼入れ装置の全体概略断面を示す。図１において、ガス焼入れ装置はガス冷却室１を備えている。ガス冷却室１内には左右の側壁の上下方向中間位置に支持壁１１が突設してあり、図略の扉付き開口から室内へ装入された平板状のトレイ２がその両端下面を支持壁１１上に位置させて水平姿勢で設置されている。
【００１７】
トレイ２は平面視で格子状に成形されており、その平面内に、互いに隣接して上下方向へ延びる多数の貫通孔２１を有している。このようなトレー２の上面にワークＷが複数載置されている。なお、図１では理解を容易にするために二個のワークＷのみが示してあるが、実際にはトレー２上には一段で平面的に多数のワークＷが載置されている。
【００１８】
ガス冷却室１の底壁には駆動シリンダ３が設けられて上下方向へ進退可能なそのロッド３１がガス冷却室１内へ延びている。ロッド３１の上端には、トレイ２と平面視でほぼ同形の支持板３２が水平姿勢で固定されている。支持板３２の上面には複数位置に棒状の拘束部材５１が立設されており、その先端（下端）がトレイ２の貫通孔２１を経てワークＷの下面に当接して、ワークＷをトレイ２上から上方へ持ち上げて支持している。
【００１９】
一方、ガス冷却室１の頂壁には駆動シリンダ４が設けられて上下方向へ進退可能なそのロッド４１がガス冷却室１内へ延びている。ロッド４１の下端には、トレイ２と平面視でほぼ同形の支持板４２が水平姿勢で固定されている。支持板４２の下面には複数位置に、詳細を後述する構造で棒状の拘束部材５２が垂設されており、その先端（下端）がワークＷの上面に当接している。
【００２０】
このようなワーク拘束機構の詳細を図２に示す。支持板３２上の拘束部材５１は、基端（下端）が支持板３２の上面に固着されており、ロッド３１の進出に伴って支持板３２が上昇すると、拘束部材５１の先端がトレイ２（図１）上のワークＷ１，Ｗ２の下面に当接してこれをトレイ２の上方へ持ち上げる（図１の状態。なお図１ではワークは符号Ｗで代表させてある）。
【００２１】
支持板４２の下面に垂設された各拘束部材５２の基端５２１は、支持板４２に設けた下方へ開放するガイド凹所４２１内にそれぞれ位置しており、上記基端５２１は拡径してガイド凹所４２１の内面に摺動可能に接している。そして、基端５２１とガイド凹所４２１の底面との間にはバネ部材４３が配設されて、そのバネ力によって拘束部材５２は下方へ付勢されている。
【００２２】
ロッド４１の進出に伴って支持板４２が下降すると、拘束部材５２の先端がワークＷ１，Ｗ２の上面に当接するが、基端５２１をバネ部材４３によって弾性的に支持されている各拘束部材５２は図２に示すように、先端がワークＷ１，Ｗ２の上面に当接するとその凹凸に応じてバネ部材４３を圧縮しつつ適宜後退する。これにより、各ワークＷ１，Ｗ２は拘束部材５１，５２によって上下面よりバネ部材４３のバネ力とその反力によって強固に挟持されて変形が防止され、拘束状態で保持される（図３）。
【００２３】
図１において、ガス冷却室１内で拘束部材５１，５２によってトレイ２の上方に持ち上げられて挟持拘束されたワークＷの上方位置とトレイ２の下方位置にはそれぞれ冷却ガス供給ヘッダ６１，６２が水平姿勢で配置されている。上側の冷却ガス供給ヘッダ６１には長手方向へ間隔をおいて下方へ向けて多数のガス噴出孔（図示略）が設けてあり、また下側の冷却ガス供給ヘッダ６２には長手方向へ間隔をおいて上方へ向けて多数のガス噴出孔（図示略）が設けてある。
【００２４】
各冷却ガス供給ヘッダ６１，６２はガス冷却室１の側壁を貫通して外方へ延び、それぞれ電磁弁６３，６４を介して合流した後、ブロア６５の吐出口６５２に連通している。ガス冷却室１の、上下の冷却ガス供給ヘッダ６１，６２の間の側壁には室外に設けられた排気ダクト６６の一端が開口連結されており、当該排気ダクト６６は途中に設けたガスクーラ６７を介してブロア６５の吸入口６５１に連結されている。
【００２５】
このような構造のガス焼入れ装置において、既述のようにトレイ２の上方位置で拘束部材５１，５２によって上下面を拘束されて保持されたワークＷに対し、電磁弁６３のみを開放するとガス冷却室１内には冷却ガス供給ヘッダ６１から下方へ冷却ガスの下降流が形成される（図１の矢印）。冷却ガスは、棒状の拘束部材５１，５２の間の空間を円滑に下方へ流れて、拘束され平面的に配置されたワークＷを、その歪変形が抑えられた状態で効率的かつ均一に冷却する。冷却ガスはその後、排気ダクト６６内へ流出して室外のガスクーラ６７へ至る。そして、ガスクーラ６７で再冷却された冷却ガスがブロア６５を経て再び冷却ガス供給ヘッダ６１へ送られる。このようにして、拘束された状態のワークＷに対して均一かつ歪の小さいガス焼入れが行われる。
【００２６】
なお、電磁弁６３に代えて電磁弁６４を開放するとガス冷却室１内には冷却ガス供給ヘッダ６２から上方へ冷却ガスの上昇流が形成される（図１の矢印）。また、ワークＷの形状に応じて、両電磁弁６３，６４をいずれも開放すれば、上昇流と下降流がワークＷ付近で衝突した後、側方へ流れる気流となり、これによって均一かつ歪の小さい効率的なガス焼入れが実現される。また、ガス冷却室１の側面の室壁や適宜位置に冷却ガス供給ヘッダをさらに増設すれば、ワーク形状に応じたさらに多様なガス焼入れが可能となる。
【符号の説明】
【００２７】
１…ガス冷却室、２…トレイ、２１…開口、３…駆動シリンダ、３１…ロッド、３２…支持板、４…駆動シリンダ、４１…ロッド、４２…支持板、４３…バネ部材、５１…拘束部材（第１拘束部材）、５２…拘束部材（第２拘束部材）、Ｗ…ワーク。
【図１】
2015221916.tif 000003
【図２】
2015221916.tif 000004
【図３】
2015221916.tif 000005